(57)【要約】【課題】自動取引装置の底部を遮蔽する遮蔽部材を退避可能にする自動取引装置の底部遮蔽構造を提供する。【解決手段】本体部に開閉自在な扉を備える自動取引装置であって、当該本体部の底部と設置面との隙間を遮蔽する底部遮蔽構造において、上記本体部に開閉自在な扉５０と、上記本体部の底部を遮蔽する遮蔽位置と当該遮蔽位置から退避する退避位置を移動するように、上記扉に設けられる遮蔽部材６０と、上記扉の開放位置への移動に応じて、上記遮蔽部材を上記遮蔽位置から退避位置に移動させ、上記扉の閉鎖位置への移動に応じて、上記遮蔽部材を退避位置から遮蔽位置に移動させるように、上記扉に設けられる駆動部材７０と、を備える。【選択図】図５
2013196057.tif 000002
【特許請求の範囲】
【請求項１】
本体部に開閉自在な扉を備える自動取引装置であって、当該本体部の底部と設置面との隙間を遮蔽する底部遮蔽構造において、
上記本体部に開閉自在な扉と、
上記本体部の底部を遮蔽する遮蔽位置と当該遮蔽位置から退避する退避位置を移動するように、上記扉に設けられる遮蔽部材と、
上記扉の開放位置への移動に応じて、上記遮蔽部材を上記遮蔽位置から退避位置に移動させ、上記扉の閉鎖位置への移動に応じて、上記遮蔽部材を退避位置から遮蔽位置に移動させるように、上記扉に設けられる駆動部材と、を備える、
ことを特徴とする自動取引装置の底部遮蔽構造。
【請求項２】
上記遮蔽部材は、上記遮蔽位置で下がり、上記退避位置で上がるように、上下移動自在に上記扉に取り付けられ、
上記駆動部材は、上記扉の開閉に応じて水平方向に移動されるよう上記扉の内側に取り付けられ、
上記駆動部材の水平方向の移動を上記遮蔽部材の上下移動に変換する変換部材を備える
ことを特徴とする請求項1に記載の自動取引装置の底部遮蔽構造。
【請求項３】
上記変換部材は、上記遮蔽部材と上記駆動部材のいずれか一方に設けられるカム部と、上記遮蔽部材と上記駆動部材のいずれか他方に設けられる上記カム部に対応するカム従動子との組み合わせである
ことを特徴とする請求項２に記載の自動取引装置の底部遮蔽構造。
【請求項４】
上記カム部の形状は、上記遮蔽位置から上記退避位置への移動は当該カム部によって上記遮蔽部材を移動させ、上記退避位置から上記遮蔽位置への移動は上記遮蔽部材の自重によって移動させる形状である
ことを特徴とする請求項３に記載の自動取引装置の底部遮蔽構造。
【請求項５】
上記扉は、上記遮蔽部材を上記退避位置に移動させるように上記駆動部材を付勢する付勢部材を有し、
上記本体部は、上記扉が閉鎖された場合に、上記付勢力に対抗して上記遮蔽部材が上記遮蔽位置に移動するように上記駆動部材を移動させて、上記遮蔽部材を上記遮蔽位置に保持する保持部材を有する
ことを特徴とする請求項２に記載の自動取引装置の底部遮蔽構造。
【請求項６】
上記駆動部材は、ローラを有し、
上記保持部材は、上記扉が閉鎖される際に、上記ローラと当接して、上記遮蔽部材が上記遮蔽位置に移動する方向に上記駆動部材を移動させるガイド部を有する
ことを特徴とする請求項５に記載の自動取引装置の底部遮蔽構造。
【発明の詳細な説明】
【技術分野】
【０００１】
本発明は、自動取引装置に関するもので、特に装置本体の底部を遮蔽する遮蔽構造に関する。
【背景技術】
【０００２】
自動取引装置には、金融機関で利用されるＡＴＭ装置（現金自動預け払い装置）、自動券売機、自動販売機等々  色々な種類がある。これらの自動取引装置では、本体部の底面に台座やキャスタが設けられる関係で、設置面（地面）から本体部の底面までは、数センチ程度の隙間が生じる。そして、例えば自動取引装置がＡＴＭ装置の場合に、このＡＴＭ装置の下に隙間がそのまま開放されていると、顧客が落とした硬貨をその隙間に入って取れなくなってしまうので、隙間に異物が這いり込まないように、隙間に通称スカートとも呼ばれる遮蔽部材が装着される。従来のスカート構造は、帯状の板金もしくはモールド部品をこれら装置設置後に装置下部の隙間へ挿入する構造で、これにより本体部の隙間へ落下物等が進入するのを防止していた。ＡＴＭ装置以外の自動取引装置でも、事情は同じである。
【０００３】
一方、自動取引装置によっては、保守等のために内部の大重量のユニットを本体部から引き出し可能に備えるものがある。そしてこのような引き出し可能なユニットには、転倒防止及びレール部品の破損防止を目的にキャスタが取付られる。従来のスカート構造で、このようなキャスタ付きの引き出しユニットに対応させるには、スカートのキャスタ通過箇所に開口を設けなければならない。そこで、キャスタ通過用の隙間を防ぐ塞ぎ部材を前扉に設けて、前扉を閉めた状態では、自動取引装置の筐体の底部全体を遮蔽することができるようにする構造が提案されている（例えば特許文献１）。
【先行技術文献】
【特許文献】
【０００４】
【特許文献１】特開２００１−２３０２３号公報
【発明の概要】
【発明が解決しようとする課題】
【０００５】
自動取引装置の底部の隙間を遮蔽する遮蔽部材は必要であるが、底部の隙間に単純に遮蔽部材を取り付けるだけの構造では、取り外しに不便で、自動取引装置の保守等の利便性にかなったものではない。
【０００６】
本願発明は、上記課題に鑑み、自動取引装置の底部を遮蔽する遮蔽部材を退避可能にする自動取引装置の底部遮蔽構造を提供することを目的とする。
【課題を解決するための手段】
【０００７】
上記目的を達成するために、本体部に開閉自在な扉を備える自動取引装置であって、当該本体部の底部と設置面との隙間を遮蔽する底部遮蔽構造において、上記本体部に開閉自在な扉と、上記本体部の底部を遮蔽する遮蔽位置と当該遮蔽位置から退避する退避位置を移動するように、上記扉に設けられる遮蔽部材と、上記扉の開放位置への移動に応じて、上記遮蔽部材を上記遮蔽位置から退避位置に移動させ、上記扉の閉鎖位置への移動に応じて、上記遮蔽部材を退避位置から遮蔽位置に移動させるように、上記扉に設けられる駆動部材と、を備えるものである。
【発明の効果】
【０００８】
本発明によれば、自動取引装置の底部を遮蔽する遮蔽部材を退避可能にする自動取引装置の底部遮蔽構造を提供することができる。
【図面の簡単な説明】
【０００９】
【図１】本発明の実施の形態に係るＡＴＭ装置１の外観を示す図である。
【図２】ＡＴＭ装置１の前扉５０を開けた状態を示す図である。
【図３】図２からさらに本体部１０から前方に引き出された収納ユニット４０を示す図である。
【図４】図３で示した前扉５０の下部と底部カバ６０の裏面の部分を拡大して示す図である。
【図５】前扉５０に組み付けられる、底部カバ６０、駆動部材７０及び保護部材９０の各部材を展開した状態で示す図である。
【図６】保護部材９０を除いて、底部カバ６０と駆動部材７０が前扉５０の裏面に組みつけられた状態を示す図である。
【図７】図３で示したＡ部を拡大して示す図である。
【図８】前扉５０が本体部１０に閉まる直前の状態での、レバーガイド４４とローラ８０の位置関係を示す図である。
【図９】前扉５０が閉止操作される状態での、ローラ８０の移動の様子を模式的に示す図である。
【図１０】底部カバ６０が遮蔽位置にある状態と退避位置にある状態を比較して示す図である。
【図１１】本体部１０の下面に直接取り付けるタイプの底部カバ１００を参考として示す図である。
【発明を実施するための形態】
【００１０】
以下、図面に従って本発明の実施形態を説明する。なお、以下では自動取引装置としてＡＴＭ装置１に適用した例を示す。図１は本発明の実施の形態に係るＡＴＭ装置１の外観を示す図である。
【００１１】
ＡＴＭ機器１は、縦に長い箱型で、正面下部が前に張り出したような形状である。ＡＴＭ機器１の本体部１０は、正面の中央から上が顧客操作面であって、タッチパネル１２、紙幣投入取出部１４、硬貨投入取出部１６、通帳挿入取出部１８、カード挿入取出部２０等を備えている。タッチパネル１２は、奥側がやや高くなるように傾斜した面に設けられる。タッチパネル１２は、現金取引に関する入力または指示の操作を行うもので、表示部（例えば液晶パネル）に重ねるにように透明な位置入力部が設けられた構造で、画面に表示される指示に従って画面上をタッチすることで機器を操作するものである。
【００１２】
タッチパネル１２の上部にタッチパネル１２より大きな傾斜角の面が設けられ、この面の右側に紙幣投入取出部１４、左側に硬貨投入取出部１６が設けられる。紙幣投入取出部１４は、紙幣が出し入れされる部分である。紙幣投入取出部１４の内部には、紙幣ユニットが設けられる。紙幣ユニットは、入金等の取引のときに紙幣を受け入れ、出金等の取引のときには、払い出された紙幣を送出するものである。
【００１３】
硬貨投入取出部１６は、硬貨が出し入れされる部分である。硬貨投入取出部１６の内部に硬貨ユニットが設けられる。硬貨ユニットは、入金等の取引のときに硬貨を受け入れ、入金や送金の取引のときに釣銭として払い出された硬貨を放出するものである。
【００１４】
紙幣投入取出部１４と硬貨投入取出部１６の更に上部は、ほぼ垂直な面で構成され、この面の左側に通帳挿入取出部１８、右側にカード挿入取出部２０が設けられる。通帳挿入取出部１８は、通帳を出し入れする箇所である。通帳挿入取出部１８の内部には挿入された通帳に取引内容を印字するための印字ユニット装置が設けられる。カード挿入取出部２０は、ＡＴＭを操作するときの本人確認に使用されるキャッシュカード、振込操作を行うときに使用される振込カード等を取り扱う部分である。カード挿入取出部２０の内部には、カードの読み出し記録を行うカードユニットが設けられる。
【００１５】
また、本体部１０の正面の下部には、前扉５０が開閉自在に設けられる。本体部１０内部の各ユニットを保守等するためである。前扉５０の左には、防犯のために、鍵２２が設けられる。前扉５０は、本体部１０の幅全部に渡る長さである。本体部１０の内部を幅全部に渡って開放するためである。前扉５０の下部には、底部カバ６０が設けられる。底部カバ６０は、前扉５０を閉めた際に  本体部１０の前扉５０が取付けられる側で、本体部１０の底部と設置面間の隙間を遮蔽する遮蔽部材である。換言すれば、底部カバ６０は、ＡＴＭ機器１の正面側で、本体部１０の底部と設置面間の隙間を遮蔽する遮蔽部材である。底部カバ６０は、前扉５０の幅と同等な長さで設けられる。
【００１６】
図２は、ＡＴＭ装置１の前扉５０を開けた状態を示す図である。また、タッチパネル１２や通帳挿入取出部１４等が備えられた正面の上部の顧客操作面は、上に跳ね上げられた状態である。本体部１０の底部には台座３２が設けられる。台座３２は、本体部１０の底部の前後左右の４箇所に配置される。台座３２は、凹凸のある設置面でも本体部１０を安定して設置できるように、高さ調整が可能である。また、本体部１０の底部の台座３２の横には、移動用の本体キャスタ３４も取り付けられる。屋外では特に、設置面は平らではなく、凹凸が多いので、本体部１０の底部は、設置面から所定の隙間を空ける様な構造になっている。
【００１７】
本図では、前扉５０の裏面が示されている。前扉５０は、本体部１０の右側面に設けられたヒンジを回転中心として、本体部１０に水平方向に開閉される。底部カバ６０は、前扉５０の下部に取り付けられ、前扉５０と一体的に回動する。底部カバ６０も、裏面から見た形状が示される。
【００１８】
前扉５０の内側には、さらに内扉２６が設けられる。内扉２６は、前扉５０よりも小さなサイズの扉である。内扉２６も、本体部１０の右側面に設けられたヒンジを回転中心として、本体部１０に水平方向に開閉される。前扉５０、底部カバ６０および内扉２６は、例えば板金部材から主として構成される。
【００１９】
本体部１０の内部に、紙幣が収納される収納ユニット４０が配置される。収納ユニット４０の下部には、ユニットキャスタ４２が設けられる。収納ユニット４０は重量物のため、保守等の際に本体部１０から収納ユニット４０を前に引き出すためには、キャスタがないと移動が困難だからである。ユニットキャスタ４２は収納ユニット４０前後に設けられるが、本図では収納ユニット４０の前側に設けられたユニットキャスタ４２を示す。
【００２０】
ユニットキャスタ４２は、収納ユニット４０の下部に前方に突き出すように取り付けられる。本体部１０に収納ユニット４０が収納された状態で、本体部１０の底面を保護する底板３６にユニットキャスタ４２が干渉しないように、本体部１０の底板３６には、ユニットキャスタ４２の対応する部分に切欠３６ａが設けられる。
【００２１】
図３は、本体部１０から収納ユニット４０が前方に引き出された状態を示す図である。収納ユニット４０は、縦長形状で、幅寸法は本体部１０の幅の半分以上のサイズである。収納ユニット４０は、前扉５０と内扉２６の横をすり抜けるように前方に引き出される。本体部１０の左下隅のＡ部については、図７で詳述する。
【００２２】
図１１に、本体部１０の底部に直接取り付けるタイプの底部カバ１００を参考として示す。底部カバ１００は、前面だけでなく左右の側面も遮蔽するタイプである。底部カバ１００は、本体部１０の底部の隙間を埋めるように底部に挿入される。そのため、底部カバがこのような構造の場合には、収納ユニット４０を前に出す際には、底部カバ１００を本体部１０からいったん取り外す必要がある。
【００２３】
図４は、図３で示した前扉５０の下部と底部カバ６０の裏面の部分を拡大して示す図である。図４は、底部カバ６０が前扉５０の裏面に組み付けられた状態を示す。一番外側にあるのが保護部材９０である。保護部材９０は、内部を保護するためのものである。底部カバ６０の上にある連結部材６４は、底部カバ６０を前扉５０に取り付けるための中継部材である。保護部材９０の内側にある駆動部材７０は、底部カバ６０を上下移動させるものである。右端にあるローラ８０は、駆動部材７０の一部設けられ、本体部１０と共同して、前扉５０が閉鎖された際に、底部カバ６０が下降移動するように駆動部材７０を移動させるものである。ネジ９４は、保護部材９０を前扉５０に固定するためのものである。これらの詳細は、図５以降で説明する。
【００２４】
図５は、前扉５０の裏面に組み付けられる、底部カバ６０、駆動部材７０及び保護部材９０の各部材を展開した状態で示す図である。
【００２５】
前扉５０の裏面側の下部に、補助部材５４が設けられる。底部カバ６０、駆動部材７０及び保護部材９０は、補助部材５４を介して前扉５０に取り付けられる。補助部材５４は、幅方向に長い板状の部材で、前扉５０の横幅全体に渡る長さである。補助部材５４は、前扉５０の裏面に対して所定の空間を空けるように、前扉５０の裏面にネジまたは溶接等で固定される。補助部材５４の左右の同じ高さの位置には、上下方向に長い孔である上下ガイド溝５５Ｌと上下ガイド溝５５Ｒがそれぞれ設けられる。上下ガイド溝５５Ｌ、５５Ｒの孔形状は、同一である。なお、以下で左右に１組で設けられた要素については、符号の次に左側の要素はＬ、右側の要素はＲを付して示す。
【００２６】
上下ガイド溝５５Ｌのさらに左外側の位置であって、上下ガイド溝５５Ｌと略同じ高さの位置に、水平ガイドボス５６Ｌが設けられる。上下ガイド溝５５Ｒのさらに右外側の位置であって、上下ガイド溝５５Ｒと略同じ高さの位置に、水平ガイドボス５６Ｒが設けられる。水平ガイドボス５６Ｌ及び水平ガイドボス５６Ｒは、同一形状で、段付きボスで、センタにネジ孔が形成される。水平ガイドボス５６Ｌ、５６Ｒは、軸線が水平となる向きで、カシメあるいは溶接等によって補助部材５４に固定される。
【００２７】
底部カバ６０は、幅方向に細長い形状で、幅寸法は前扉５０の幅とほぼ同じである。底部カバ６０は、本体部１０の底部を遮蔽する主面と、主面の上下左右の各辺から所定長内側に９０度曲げられたリブ６１を有する。リブ６１は、底部カバ６０の剛性を高めるためのものである。主面には縦長の通気口６２が複数配列して形成される。
【００２８】
底部カバ６０の上部に連結部材６４が設けられる。連結部材６４は、水平な面である底面部６４ｂと、底面部６４ｂからいったん上方向に伸びてから前扉５０に向かって水平方向に伸びる中継部と、中継部から上方向に伸びる取付面部６４ａを有する。底面部６４ｂが、底部カバ６０の上辺に形成されたリブ６１に固定される。
【００２９】
取付面部６４ａは、補助部材５４と平行な平面で、左右が突き出て中央がへこんだ形状である。取付面部６４ａの左右の突き出た部分に、同じ高さで、上下ガイドピン６５Ｌと上下ガイドピン６５Ｒが取り付けられる。上下ガイドピン６５Ｌ、６５Ｒは、同一形状の丸ピンで、軸線が水平となる向きで、取付面部６４ａの前扉５０に対向する面に取り付けられる。上下ガイドピン６５Ｌ、６５Ｒは、補助部材５４の上下ガイド溝５５Ｒ、５５Ｌに係合される係合子である。
【００３０】
また、取付面部６４ａの左の突き出た部分であって、上下ガイドピン６５Ｌの内側の位置に駆動ガイドピン６６Ｌが取り付けられる。同じく、取付面部６４ａの右に突き出た部分であって、上下ガイドピン６５Ｒの内側の位置に駆動ガイドピン６６Ｒが取り付けられる。駆動ガイドピン６６Ｌ、６６Ｒは、同一形状の丸ピンで、軸線が水平となる向きで、上下ガイドピン６５Ｌ、６５Ｒが取付られた面の逆の面に取り付けられる。
【００３１】
駆動部材７０は、補助部材５４と平行で幅方向に細長い形状の基部７２と、基部７２の左端に設けられる左端部７４、基部７２の右端に設けられる右端部７５を有する。左端部７４と右端部７５は、基部７２に平行な同一面で、前扉５０から離れる方向にそれぞれ段部を介して設けられる。基部７２には、左側の位置にカム溝７６Ｌが、右側の位置にカム溝７６Ｒがそれぞれ設けられる。カム溝７６Ｌ、７６Ｒは、同一形状の孔である。カム溝７６Ｌ、７６Ｒの形状は、直角三角形的な形状で、直角三角形の斜辺が右下がりになるような向きに設けられる。カム溝７６Ｌ、７６Ｒには、連結部材６４の駆動ガイドピン６６Ｌ、６６Ｒがそれぞれ係合される。
【００３２】
左端部７４には、水平ガイド溝７７Ｌが設けられる。右端部７５には、水平ガイド溝７７Ｒが水平ガイド溝７７Ｌと略同じ高さの位置に設けられる。水平ガイド溝７７Ｌ，７７Ｒは、同一形状で、横長の開口である。水平ガイド溝７７Ｌ，７７Ｒには、補助部材５４の水平ガイドボス５６Ｌ、５６Ｒがそれぞれ係合される。
【００３３】
また、基部７２の右端でカム溝７６Ｒの上部には、上に突出するようにバネ掛け部７３が設けられる。バネ掛け部７３には、バネ掛け孔７３ａが設けられる。バネ掛け孔７３ａには付勢部材８２の一方が係止される。付勢部材８２は、駆動部材７０を右方向に付勢するもので、例えば引っ張りコイルバネである。付勢部材８２は、その一方がバネ掛け孔７３ａに係止され、他方が補助部材５４のバネ掛け孔５４ｂ（図８参照）に係止される。
【００３４】
右端部７５の下端から前扉５０のある側と逆の向きで、水平に伸びるようにローラ保持部７８が設けられる。ローラ保持部７８には、ローラ８０が回動自在に取り付けられる。ローラ８０は、ローラ保持部７８の下側に、回動軸が垂直となる向きに取り付けられる。ローラ８０は、その材質が例えば硬質ゴムのものである。
【００３５】
保護部材９０は、断面がＬ字状で、幅方向に長い形状の部材である。保護部材９０は、前扉５０に取り付けられる駆動部材７０と連結部材６４を保護する部材である。保護部材９０は、垂直な面である主面９０ａと、主面９０ａの上辺から補助部材５４側に向かう水平な面９０ｂを有する。水平な面９０ｂが駆動部材７０の上を覆うように配置される。主面９０ａは、幅方向の中央で下面からえぐられている。主面９０ａの左右に、縦方向に長い孔である長孔９１Ｌ、長孔９１Ｒがそれぞれ設けられる。長孔９１Ｌ、９１Ｒは、いずれも下端まで突き抜けるよう設けられる。
【００３６】
ネジ９４は、保護部材９０を補助部材５４（前扉５０）に固定するためのものである。左側のネジ９４は、長孔９１Ｌを通して、水平ガイド溝７７Ｌに挿入される水平ガイドボス５６Ｌのネジ孔に締結される。同様に、右側のネジ９４は、長孔９１Ｒを通して、水平ガイド溝７７Ｒに挿入される水平ガイドボス５６Ｒのネジ孔に締結される。
【００３７】
以上のような構造により、底部カバ６０は、上下ガイドピン６５Ｌ、６５Ｒが補助部材５４の上下ガイド溝５５Ｌ、５５Ｒに案内されることで、前扉５０の底部を遮蔽する遮蔽位置と遮蔽位置から退避する退避位置を移動自在となる。換言すれば、底部カバ６０は、上下移動のみ自在に取り付けられる。
【００３８】
また、駆動部材７０は、水平ガイド溝７７Ｌ，７７Ｒが水平ガイドボス５６Ｌ、５６Ｒで案内されることで、水平方向にのみ移動自在となる。そして、底部カバ６０の駆動ガイドピン６６Ｌ、６６Ｒが、駆動部材７０のカム溝７６Ｌ、７６Ｒに係合されるので、駆動部材７０の左右方向の移動によって、底部カバ６０を上下方向に移動できる。
【００３９】
カム部である駆動部材７０のカム溝７６Ｌ、７６Ｒに対して、底部カバ６０の駆動ガイドピン６６Ｌ、６６Ｒはカム従動子となる。つまり、カム溝７６Ｌ、７６Ｒと駆動ガイドピン６６Ｌ、６６Ｒの組み合わせが、駆動部材７０の水平方向の移動を底部カバ６０の上下移動に変換する変換部材となる。
【００４０】
図６は、底部カバ６０と駆動部材７０が前扉５０の裏面に組みつけられた状態を示す図である。図６は、図４から保護部材９０を除いて状態を示すものである。図６では、底部カバ６０が遮蔽位置にある状態を示し、駆動部材７０は、本図で見て、左方向に移動した状態である。なお、以降で説明の便宜上、駆動部材７０が左方向に移動した位置（底部カバ６０が遮蔽位置にある）を第１の位置と呼び、駆動部材７０が右方向に移動した位置を第２の位置（底部カバ６０が退避位置にある）と呼ぶ。また、駆動部材７０の第１の位置と第２の位置間の移動は、本体部１０への前扉５０の開閉操作によって行われる。前扉５０が本体部１０に閉められる操作によって、駆動部材７０が第１の位置に移動し、前扉５０が本体部１０から開けられる操作によって、駆動部材７０が第２の位置に移動する。
【００４１】
図７−９を用いて、前扉５０の開閉に応じて、底部カバ６０が遮蔽位置と退避位置の間を移動することについてを説明する。
【００４２】
図７は、図３で示したＡ部を拡大して示す図である。レバーガイド４４の形状を明確にするために、図３とは、見る角度を変えてある。本体部１０の左下隅、つまり閉めた状態で前扉５０のローラ８０が入る位置に、レバーガイド４４が設けられる。レバーガイド４４は、垂直な向きに立てられた板状部材で、先端に、外側に開くような向きで斜めに折れ曲がったガイド部４４ａを有している。
【００４３】
図８は、前扉５０が本体部１０に閉まる直前の状態での、レバーガイド４４とローラ８０の位置関係を示す図である。本図では、前扉５０を透過して、ローラ８０付近の補助部材５４、保護部材９０を示している。ローラ８０はレバーガイド４４の内側の面に当接し、底部カバ６０は、退避位置（上位置）から遮蔽位置（下位置）に移動した状態である。補助部材５４の上部にバネ掛け孔５４ｂが設けられる。バネ掛け孔５４ｂには、一方がバネ掛け孔７３ａに係止された付勢部材８２のコイルバネの端部が係止される。また、底部カバ６０は遮蔽位置にあるので、上下ガイドピン６５Ｒも上下ガイド溝５５Ｒの下の位置にある。
【００４４】
図９は、前扉５０が閉止操作される状態での、ローラ８０の移動の様子を模式的に示す図である。レバーガイド４４近傍を上から見た図である。前扉５０が本体部１０に閉まる直前でのローラ８０を実線で示し、前扉５０が閉まった後のローラ８０を破線で示す。図９，１０を参照して、前扉５０を閉める操作によって、底部カバ６０が退避位置（上位置）から遮蔽位置（下位置）に移動する動作を説明する。
【００４５】
まず、ローラ８０がレバーガイド４４に当接する前は、付勢部材８２によって駆動部材７０は第２の位置に保持される。前扉５０の閉止方向への移動により、ローラ８０が、レバーガイド４４のガイド部４４ａに当接する。さらに前扉５０の閉止方向への回動操作により、ガイド部４４ａの傾斜角度に従って、ローラ８０は閉方向に回動しながら右方向（図９で見て）にも押圧される。そして、駆動部材７０はローラ８０と一体なので、第２の位置にあった駆動部材７０も、付勢部材８２の付勢力に抗して、ガイド部４４ａの傾斜角度に従って、第２の位置から第１の位置へ移動される。以上により、前扉５０の閉止操作によって、駆動部材７０が第２の位置から第１の位置に変位ｘだけ移動され（ローラ８０がＰ方向に移動）、連動する底部カバ６０は下降して退避位置から遮蔽位置に移動する。
【００４６】
また、前扉５０は閉じられた位置で、図示しない係止部材により本体部１０に係止される。前扉５０が閉じられた後は、ローラ８０の位置がレバーガイド４４に当接した状態（図９で示す破線）で規制されるので、駆動部材７０も第１の位置に保持され、底部カバ６０も遮蔽位置で安定する。このように、レバーガイド４４は、前扉５０が閉鎖された場合に、付勢部材８２に対抗して底部カバ６０が遮蔽位置に移動するように駆動部材７０を移動させて、底部カバ６０を遮蔽位置に保持する保持部材となる。
【００４７】
また、前扉５０がこの閉じられた状態からわずかに開かれ、ローラ８０がガイド部４４ａから離れると、直ちに付勢力によって駆動部材７０が第１の位置から第２の位置に移動して、対応して底部カバ６０が遮蔽位置に移動する。
【００４８】
図１０は、底部カバ６０が遮蔽位置にある状態と退避位置にある状態を比較して示す図である。図１０は、図６を正面から見た正面図で、図１０（Ａ）が遮蔽位置にある状態で、図１０（Ｂ）が退避位置にある状態を示す。
【００４９】
図１０（Ａ）は、本体部１０に前扉５０が閉められて、底部カバ６０が遮蔽位置（下がった位置）にある状態である。駆動部材７０は、左の位置つまり、第１の位置にあり、カム溝７６Ｌ、７６Ｒが左に位置することで、底部カバ６０の駆動ガイドピン６６Ｌ、６６Ｒは、カム溝７６Ｌ、７６Ｒの向かって右端側、つまりカム溝の斜辺の下に位置する。
【００５０】
図１０（Ｂ）は、本体部１０から前扉５０が開けられて、底部カバ６０が退避位置（上がった位置）にある状態である。駆動部材７０は、右の位置つまり、第２の位置にあり、カム溝７６Ｌ、７６Ｒが右に位置することで、底部カバ６０の駆動ガイドピン６６Ｌ、６６Ｒは、カム溝７６Ｌ、７６Ｒの向かって左端側、つまりカム溝の斜辺の上に位置する。ｈは、底部カバ６０の上下移動量である。また、第１の位置と第２の位置間での駆動部材７０の変位ｘは、図９で示したｘと同じである。
【００５１】
以上の説明した実施形態により、少なくとも以下の効果が奏せられる。
１）底部カバを扉に装着したので、ユニットキャスター等の突出部隠蔽の為の構造が不要となり、コストダウンが図れると主に、外観品質を向上も実現できる
２）底部カバを扉に装着したので、扉の開放操作に連動して、底部カバが本体部から離脱されるので、底部カバを外す操作が不要になる。
３）扉の開放操作に連動して底部カバを上に退避させるようにしたので、扉を開ける際に底部カバが地面に引っかかって、扉が開かなくなったり、引っかかった扉を無理に開けて底部カバを損傷してしまうおそれがない。
４）扉が開放操作されると、直ちに底部カバを退避位置まで移動するようにしたので、
扉のすぐ前の地面に突起がある場合でも、底部カバが引っかかるおそれがない。
５）底部カバが退避位置から遮蔽位置に移動する際には、底部カバの自重の力で移動するように駆動部材のカム溝の形状を設定したので、底部カバの下に異物があって底部カバが遮蔽位置まで落ちきらない状態でも、扉を閉めることができる。これにより、装置の設置面が屋外のでこぼこした地面であっても、扉の閉める操作が支障なくできる。
【００５２】
また、上記説明した実施形態につき、以下の変形が可能である。
１）駆動部材にカム部を設け、底部カバ６０にカム従動子を設けたが、この関係を逆にして、駆動部材にカム従動子を設け、底部カバ６０にカム部を設けるようにしてもよい。
２）カム溝は、底部カバ６０を遮蔽位置から退避位置に移動させる場合に移動位置を規制し、逆に退避位置から遮蔽位置に移動させる場合には位置を規制しないような形状に設定したが、退避位置から遮蔽位置に移動させる場合にも、位置を規制する形状にしてもよい。つまり、カム溝を略直角三角形の孔ではなく、例えば、斜め方向の長孔にしてもよい。
３）前扉に装着された底部カバを例にしたが、前扉に限るものではなく、底部カバは背面扉あるいは側面の扉に装着されてもよい。また、前扉が、両開きタイプであってもよい。この場合には、両方に底部カバを設ければよい。
４）扉の底部を遮蔽する底部カバを例に説明したが、カバは底部のカバに限るものではない。例えば、扉の上部を設けられて、扉の上部にある隙間を遮蔽するカバであってもよい。
５）底部カバを移動させる駆動部材の左右移動を扉の開閉に応じて行わせる構造を示したが、駆動部材を扉に付けた鍵の開閉に連動する移動するような構成にしてもよい。こうすれば、鍵の開け閉めにより、底部カバを移動させることができる。
６）また、自動取引装置としてＡＴＭ装置を実施形態の例にして説明したが、ＡＴＭ装置以外の自動券売機、自動販売機等にも適用できる。自動券売機、自動販売機等でも、本体部と設置面には隙間が存在し、その隙間を塞ぐ底部カバが必要だからである。
【００５３】
なお、本発明は上述した実施形態そのままに限定されるものではく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組合わせても良い。さらに、異なる実施形態にわたる構成要素を適宜組合わせてもよい。このような、発明の趣旨を逸脱しない範囲内において種々の変形や応用が可能であることはもちろんである。
【符号の説明】
【００５４】
１  ＡＴＭ装置
１０  本体部
１２  タッチパネル
２６  内扉
３２  台座
３４  本体キャスタ
４０  収納ユニット
４２  ユニットキャスタ
４４  レバーガイド
５０  前扉
５４  補助部材
５５Ｌ、５５Ｒ  上下ガイド溝
５６Ｌ、５６Ｒ  水平ガイドボス
６０  底部カバ
６４  連結部材
６５Ｌ、６５Ｒ  上下ガイドピン
６６Ｌ、６６Ｒ  駆動ガイドピン
７０  駆動部材７０  
７６Ｌ，７６Ｒ  カム溝
７３  バネ掛け部
７６Ｌ、７６Ｒ  カム溝
７７Ｌ，７７Ｒ  水平ガイド溝
７８  ローラ保持部
８０  ローラ
８２  付勢部材
９０  保護部材
９１Ｌ、９１Ｒ  長孔
９４  ネジ
【図１】
2013196057.tif 000003
【図２】
2013196057.tif 000004
【図３】
2013196057.tif 000005
【図４】
2013196057.tif 000006
【図５】
2013196057.tif 000007
【図６】
2013196057.tif 000008
【図７】
2013196057.tif 000009
【図８】
2013196057.tif 000010
【図９】
2013196057.tif 000011
【図１０】
2013196057.tif 000012
【図１１】
2013196057.tif 000013